(57)【要約】【課題】印鑑等スタンプの印面を左右に傾けずに押印できるようにする印鑑等スタンプの補助器具及び印鑑等スタンプを提供する。【解決手段】磁石４を設置した収納ケース３に、印面方向表示マーク７と印鑑等スタンプ１の目印２を合わせて、印鑑等スタンプ１を収納する。磁石４とは異極の磁界を発生させる面を向けた磁石８を押印したい部分の近くに設置する。印鑑等スタンプ１の印面に朱肉やインク等を付着させ、外側ケース５を保持しながら、磁石８に近づけることにより、磁石４が磁石８の方向に吸引されることにより収納ケース３が動き、印鑑等スタンプ１の印面の左右の傾きを自動的に補正させ、印鑑等スタンプ１の印影の上が磁石８に記された押印方向マーク９の方向に向いた状態押印することができる。【選択図】図１
2010208063.tif 000002
【特許請求の範囲】
【請求項１】
印鑑等スタンプ１を着脱収納する収納ケース３と、
収納ケース３に設置された磁石４と、
収納ケース３を覆う外側ケース５と、
磁石４との間の磁界で吸引力あるいは反発力を発する位置に置いた磁石８とからなり、
磁石４と磁石８の間の磁界で発する吸引力あるいは反発力で磁石８の方向に向かって収納ケース３が動くことによって、印鑑等スタンプ１の印面が左右に傾かずに押印可能な印鑑等スタンプの補助器具。
【請求項２】
印鑑等スタンプの印面可動部分１２と、
印鑑等スタンプの取っ手部分１３と、
印面可動部分１２に設置された磁石１６と、
磁石１６との間の磁界で吸引力あるいは反発力を発する位置に置いた磁石８とからなり、
磁石１６と磁石８の間の磁界で発する吸引力あるいは反発力で磁石８の方向に向かって印面可動部分１２が動くことによって、印面可動部分１２の印面が左右に傾かずに押印可能な印鑑等スタンプ。
【請求項３】
印鑑等スタンプ１を着脱収納する収納ケース２０と
収納ケース２０に設置された表示板２２と、
表示板２２に設置された磁石２３と、
磁石２３との間の磁界で吸引力あるいは反発力を発する位置に置いた磁石８とからなり、
磁石２３と磁石８の間の磁界で発する吸引力あるいは反発力で磁石８の方向に向かって表示板２２が動き、
表示板２２の補正方向マーク２５と収納ケース２０の突起２１が同じ方向に向くように収納ケース２０の向きを手動で動かし、
印鑑等スタンプ１の印面の左右の傾きを補正することで、印鑑等スタンプの印面の上部が磁石８の押印方向マーク９の方向に向いた状態を示して押印することができる印鑑等スタンプの補助器具。
【発明の詳細な説明】
【技術分野】
【０００１】
本発明は、印面を左右に傾かせずに押印可能にする印鑑等スタンプの補助器具及び印鑑等スタンプに関するものである。
【背景技術】
【０００２】
印鑑等スタンプの印面を傾かせずに押印させるために、印鑑等スタンプの柄につけた印影の上を示す目印を目安に左右の傾きに注意を払いながら押印するのが通常であった。
【０００３】
しかし、印鑑等スタンプの柄に印影の上を示す目印を付した印鑑等スタンプでは、押印する際にはこの目印が見づらい位置にあり、右や左に傾くことが多かった。
【０００４】
この改善策として、印鑑を押す位置にガイドをあてて印鑑等スタンプの印面が傾かないようにする補助器具がある。しかしながら、この方法では、書類等の押印すべき位置に一度ガイドを合わせた上で、このガイドにそって印鑑等スタンプを押印するという煩雑さがある。また、ガイドに朱肉やインクが付着し、再度このガイドを使用する際に文章等を汚すこともある。
【先行技術文献】
【特許文献】
【０００５】
【特許文献１】特開平０７−０５２５０８号公報
【特許文献２】特開２００４−３３０４９３号公報
【特許文献２】特開２００６−２１３０４３号公報
【発明の概要】
【発明が解決しようとする課題】
【０００６】
解決しようとする問題点は、印鑑等スタンプの柄に印影の上を示す目印を目安にしても左右に印面が傾いてしまう点、かつ押印する際に使用する印鑑等スタンプのガイドを使用する煩雑さを解消する点にある。
【課題を解決するための手段】
【０００７】
本発明は、２つの磁石の、異極の吸引力または同極の磁石の反発力を利用し、印鑑等スタンプの印面の左右の傾きを補正し、印影を左右に傾けることなく押印可能にすることを最も主要な特徴とする。
【発明の効果】
【０００８】
本発明は、印面の左右の傾きを目視確認せずに印面を左右に傾けることなく印鑑等スタンプを押印することができるという利点、あるいは印面の左右の傾きの目視確認を容易にするという利点がある。
【図面の簡単な説明】
【０００９】
【図１】図１は、本発明印鑑等スタンプの補助器具の実施方法の斜視図である。（実施例１）
【図２】図２は、本発明印鑑等スタンプの補助器具の正面図である。（実施例１）
【図３】図３は、図２のＡ − Ａ 線における本発明印鑑等スタンプの補助器具の断面図である。（実施例１）
【図４】図４は、本発明印鑑等スタンプの実施方法の斜視図である。（実施例２）
【図５】図５は、本発明印鑑等スタンプの正面の透視図である。（実施例２）
【図６】図６は、本発明印鑑等スタンプの補助器具の実施方法の斜視図である。（実施例３）
【図７】図７は、本発明印鑑等スタンプの補助器具の正面図である。（実施例３）
【図８】図８は、図７のＢ − Ｂ 線における本発明印鑑等スタンプの補助器具の断面図である。（実施例３）
【発明を実施するための形態】
【００１０】
印面の左右への傾きを補正しながら押印できるという目的を、本発明の印鑑等スタンプの補助器具及び印鑑等スタンプの好ましい例を図面に示し、本発明を説明するが、本発明は、図面に例示したものに限定されるものではなく、他の構成によっても実現可能である。
【実施例１】
【００１１】
本発明印鑑等スタンプの補助器具の第１実施形態の一実施例を、図１〜図３を用い説明する。図１は、印影上部を示す目印２の付された印鑑等スタンプ１を収納ケース３に収納し、外側ケース５を保持しながら、磁石４と異極の磁界を発生させる面を向けた磁石８に近づけることにより、磁石４が磁石８の方向に吸引されることにより収納ケース３が動き、印鑑等スタンプ１の印面の左右の傾きを補正した状態を示す斜視図であって、６は磁石４の位置に合わせて方向を示す印面方向表示マーク７が記された収納ケース３の上部を覆う表示部カバーであり、印面方向表示マーク７が、磁石８に付された押印方向マーク９に印鑑等スタンプ１の印影上部が向いていること示している。図２は、印鑑等スタンプ１を収納した本発明印鑑等スタンプの補助器具の正面図であり、印面方向表示マーク７の記された収納ケース３の上部を支えるベアリング球１０は、印鑑等スタンプ１を納めた収納ケース３をスムーズに動かす働きを補う。図３は、図２のＡ
− Ａ 線における印鑑等スタンプ１を収納した本発明印鑑等スタンプの補助器具の断面図であり、印鑑等スタンプ１を収納する収納ケース３の内側に貼り付けたスポンジ等弾性物質１１が、印鑑等スタンプ１の外径を保持する。
【００１２】
印鑑等スタンプ１の目印２と収納ケース３の印面方向表示マーク７とを合わせ、印面を下向きにして印鑑等スタンプ１を収納ケース３に入れる。
【００１３】
磁石８の押印方向マーク９を押印したい部分に向け、磁力に合わせて距離を調整し押印したい部分の近くに磁石８を設置する。
【００１４】
収納ケース３に収納した印鑑等スタンプ１の印面に朱肉やインクを付着させ、本発明印鑑等スタンプの補助器具を押印したい部分に近づけることによって、磁石４と磁石８の間で発生する吸引力により、印面方向表示マーク７と押印方向マーク９が一致する方向に印鑑等スタンプ１の収納ケース３が自動的に動き、印鑑等スタンプ１の印面の左右の傾きを補正し、印鑑等スタンプの印面の上部が押印方向マーク９の方向に向いた状態で押印することができる。
【実施例２】
【００１５】
本発明印鑑等スタンプの第２実施形態の一実施例を、図４と図５を用い説明する。図４は、本発明印鑑等スタンプの取っ手部分１３を保持しながら、印影上部を示す目印１５の付された印面可動部分１２の磁石１６と異極の磁界を発生させる面を向けた磁石８に近づけることにより、磁石１６が磁石８の方向に吸引されることにより印面可動部分１２が動き、印面可動部分１２の印面の左右の傾きを補正した状態を示す本発明の印鑑等スタンプの斜視図であって、１８は磁石１６の向いている方向を示す印面方向表示マーク１９を記すことができる表示板１７を覆う表示部カバーであり、表示板１７の印面方向表示マーク１９が、印面可動部分１２が磁石８に付された押印方向マーク９に向いていること示している。図５は、本発明印鑑等スタンプの透視図であり、印面上部を示す目印１５を付した印面可動部分１２と取っ手部分１３をつなぐ表示板１７、表示板１７の印面方向表示マーク１９を記した上部を覆う表示板カバー１８、印面可動部分１２をスムーズに動かす働きを補うベアリング球１４、目印１５の中心に合わせて設置された磁石１６からなる。
【００１６】
磁石８の押印方向マーク９を押印したい部分に向け、磁力に合わせて距離を調整し押印したい部分の近くに磁石８を設置する。
【００１７】
本発明印鑑等スタンプの印面可動部分１２の印面に朱肉やインクを付着させ、本発明印鑑等スタンプを押印したい部分に近づけることによって、磁石１６と磁石８の間で発生する吸引力により、印面可動部分１２が自動的に動き、印面可動部分１２の印面の左右の傾きを補正し、印面可動部分１２が押印方向マーク９の方向に向いた状態で押印することができる。
【００１８】
表示板１７には印面方向表示マーク１９を記すことができ、押印したい方向に印面が向いていることを目視確認できる。
【実施例３】
【００１９】
本発明印鑑等スタンプの補助器具の第３実施形態の一実施例を、図６〜図８を用い説明する。図６は、印鑑等スタンプ１の印影上部を示す目印２と収納ケース２０の突起２１位置に合わせて、印鑑等スタンプ１を収納し、収納ケース２０を保持しながら、磁石２３と異極の磁界を発生させる面を向けた磁石８に近づけることにより、磁石２３が磁石８の方向に吸引され、収納ケース２０内の表示板２２が動くので、表示板２２の補正方向マーク２５と収納ケース２０の突起２１が同じ方向に向くように収納ケース２０を手動で合わせ、印鑑等スタンプ１の印面の左右の傾きを補正した状態を示す斜視図であって、２４は補正方向マーク２５が記された表示板２２の上部を覆う表示部カバーであり、補正方向マーク２５が収納ケース２０の突起２１と同じ方向に向いていること示すことで、磁石８に付された押印方向マーク９に印鑑等スタンプ１の印影上部が向いていること示している。図７は、印鑑等スタンプ１を収納した本発明印鑑等スタンプの補助器具の正面図であり、表示板２２は、表示板２２の上部が表示板カバー２４の窪み２７にはまっていて、窪み２７を中心に表示板２２が回転するよう収納ケース２０内に可動する状態で設置され、ベアリング球２６は、表示板２２をスムーズに動かす働きを補う。図８は、図７のＢ
− Ｂ 線における印鑑等スタンプ１を収納した本発明印鑑等スタンプの補助器具の断面図であり、印鑑等スタンプ１を収納する収納ケース２０の内側に貼り付けたスポンジ等弾性物質２８が、印鑑等スタンプ１の外径を保持する。
【００２０】
印鑑等スタンプ１の目印２と収納ケース２０の突起２１に合わせ、印面を下向きにして印鑑等スタンプ１を収納ケース２０に入れる。
【００２１】
磁石８の押印方向マーク９を押印したい部分に向け、磁力に合わせて距離を調整し押印したい部分の近くに磁石８を設置する。
【００２２】
印鑑等スタンプ１の印面に朱肉やインクを付着させ、印鑑等スタンプ１を収納ケース２０に収納した本発明印鑑等スタンプの補助器具を押印したい部分に近づけることによって、磁石２３と磁石８の間で発生する吸引力により、表示板２２が押印方向マーク９の方向に動くので、表示板２２の補正方向マーク２５と収納ケース２０の突起２１が同じ方向に向くように収納ケース２０の向きを手動で動かし、印鑑等スタンプ１の印面の左右の傾きを補正することで、印鑑等スタンプの印面の上部が押印方向マーク９の方向に向いた状態で押印することができる。
【符号の説明】
【００２３】
１    印鑑等スタンプ
２    目印
３    収納ケース
４    磁石
５    外側ケース
６    表示部カバー
７    印面方向表示マーク
８    磁石
９    押印方向マーク
１０    ベアリング球
１１    スポンジ等弾性物質
１２    印面可動部分
１３    取っ手部分
１４    ベアリング球
１５    印影目印
１６    磁石
１７    表示板
１８    表示版カバー
１９    印面方向表示マーク
２０    収納ケース
２１    突起
２２    表示板
２３    磁石
２４    表示版カバー
２５    補正方向マーク
２６    ベアリング球
２７    窪み
２８    スポンジ等弾性物質
【図１】
2010208063.tif 000003
【図２】
2010208063.tif 000004
【図３】
2010208063.tif 000005
【図４】
2010208063.tif 000006
【図５】
2010208063.tif 000007
【図６】
2010208063.tif 000008
【図７】
2010208063.tif 000009
【図８】
2010208063.tif 000010